(57)【要約】【課題】予熱電流Ｉｆの変化を小さくして最適な予熱条件を設定し易くする。【解決手段】  予熱周波数ＦＰＲＥと予熱トランス一次側共振周波数ＦＰと予熱トランス二次側共振周波数ＦＳの関係をＦＰＲＥ＜ＦＰ＜ＦＳとすることにより、予熱周波数ＦＰＲＥと予熱トランス二次側共振周波数ＦＳとの乖離を大きくする。【選択図】    図１
2006164926.tif 000002
【特許請求の範囲】
【請求項１】
予熱トランスとコンデンサの共振回路を用いた予熱回路において、予熱周波数ＦＰＲＥと予熱トランス一次側共振周波数ＦＰと予熱トランス二次側共振周波数ＦＳとの関係をＦＰＲＥ＜ＦＰ＜ＦＳとしたことを特徴とする放電灯点灯装置。
【発明の詳細な説明】
【技術分野】
【０００１】  本発明は予熱用トランスの共振を用いた予熱回路を有する放電灯点灯装置に関する。
【背景技術】
【０００２】  従来は、予熱周波数ＦＰＲＥと予熱トランス一次側共振周波数ＦＰと予熱トランス二次側共振周波数ＦＳの関係がＦＰＲＥ＜ＦＳ＜ＦＰとなっていた。
【発明の開示】
【発明が解決しようとする課題】
【０００３】  共振動作の予熱方式は、予熱中にフィラメントの抵抗が増えるので、共振条件が変わって予熱電流が時間と共に変化することは避けられない。特に予熱トランス二次側共振周波数ＦＳが影響を受けるため、ＦＰＲＥとＦＳが近づくと予熱電流の変化が多くなる。
また、最適な予熱条件を計算するには予熱電流と時間の積（電流×時間）が目安となる。このため、予熱電流が時間と共に変化してしまうと、予熱電流の計算が複雑になり、さらに正確な実効値電流が測定できないなど、予熱条件を設定する上で問題が生じる。
本発明は、できるだけ予熱電流の変化を少なくし、最適な予熱条件を計算し易くし、測定制度を高めることにある。
【課題を解決するための手段】
【課題を解決するための手段】
【０００４】  本発明は、予熱周波数ＦＰＲＥと予熱トランス一次側共振周波数ＦＰと予熱トランス二次側共振周波数ＦＳの関係をＦＰＲＥ＜ＦＰ＜ＦＳとすることにより、ＦＰＲＥとＦＳを離すことができるので、フィラメントの抵抗変化の影響を受けにくくなり、予熱電流Ｉｆの変化を抑えることができる。
【発明の効果】
【０００５】  本発明は、予熱周波数ＦＰＲＥと予熱トランス一次側共振周波数ＦＰと予熱トランス二次側共振周波数ＦＳの関係をＦＰＲＥ＜ＦＰ＜ＦＳとすることにより、予熱周波数ＦＰＲＥと予熱トランス二次側共振周波数ＦＳを離すことができる。これによれば、予熱電流Ｉｆの変化を小さくできるので予熱条件が計算し易くなり、また、予熱実効値電流の測定精度を高めることができるため、最適な予熱条件が得られ易くなる。
【発明を実施するための最良の形態】
【０００６】  図１を用いて本発明の実施形態について説明する。図１は周波数Ｆと予熱電流Ｉｆの関係を示しており、波形Ａは予熱トランス一次側共振波形、波形Ｂは予熱トランス二次側共振波形を示す。
この関係において、予熱中にフィラメントの抵抗が増えると、予熱トランス二次側共振周波数ＦＳが影響を受け共振条件が波形Ｂから波形Ｂ’に移動して行くと予熱電流Ｉｆは減少する。
図２は図１に対応する従来例である。図２に示すように予熱周波数ＦＰＲＥと予熱トランス一次側共振周波数ＦＰと予熱トランス二次側共振周波数ＦＳの関係がＦＰＲＥ＜ＦＳ＜ＦＰとなり、予熱周波数ＦＰＲＥと予熱トランス二次側共振周波数ＦＳが近い場合は、予熱電流Ｉｆの変化が大きくなる。
これに対して、図１に示すように予熱周波数ＦＰＲＥと予熱トランス一次側共振周波数ＦＰと予熱トランス二次側共振周波数ＦＳの関係をＦＰＲＥ＜ＦＰ＜ＦＳにすると、予熱周波数ＦＰＲＥと予熱トランス二次側共振周波数ＦＳが離れ、予熱電流Ｉｆの変化を小さくすることができる。
【図面の簡単な説明】
【０００７】
【図２】（Ａ）本発明に係る周波数Ｆと予熱電流Ｉｆの関係を示す図である。（Ｂ）本発明に係る時間Ｔと予熱電流Ｉｆの関係を示す図である。
【図２】（Ａ）従来の周波数Ｆと予熱電流Ｉｆの関係を示す図である。（Ｂ）従来の時間Ｔと予熱電流Ｉｆの関係を示す図である。
【符号の説明】
Ａ：予熱トランス一次側共振波形
Ｂ：予熱トランス二次側共振波形
Ｂ’：予熱中に変化した予熱トランス二次側共振波形
Ｉｆ：予熱電流
ＦＰＲＥ：予熱周波数
ＦＰ：予熱トランス一次側共振周波数
ＦＳ：予熱トランス二次側共振周波数
【図１】
2006164926.tif 000003
【図２】
2006164926.tif 000004
【手続補正書】
【提出日】平成17年4月15日(2005.4.15)
【手続補正１】
【補正対象書類名】明細書
【補正対象項目名】全文
【補正方法】変更
【補正の内容】
【発明の詳細な説明】
【技術分野】
【０００１】  本発明は予熱用トランスの共振を用いた予熱回路を有する放電灯点灯装置に関する。
【背景技術】
【０００２】  従来は、予熱周波数ＦＰＲＥと予熱トランス一次側共振周波数ＦＰと予熱トランス二次側共振周波数ＦＳの関係がＦＰＲＥ＜ＦＳ＜ＦＰとなっていた。
【発明の開示】
【発明が解決しようとする課題】
【０００３】  共振動作の予熱方式は、予熱中にフィラメントの抵抗が増えるので、共振条件が変わって予熱電流が時間と共に変化することは避けられない。特に予熱トランス二次側共振周波数ＦＳが影響を受けるため、ＦＰＲＥとＦＳが近づくと予熱電流の変化が多くなる。
また、最適な予熱条件を計算するには予熱電流と時間の積（電流×時間）が目安となる。このため、予熱電流が時間と共に変化してしまうと、予熱電流の計算が複雑になり、さらに正確な実効値電流が測定できないなど、予熱条件を設定する上で問題が生じる。
本発明は、できるだけ予熱電流の変化を少なくし、最適な予熱条件を計算し易くし、測定制度を高めることにある。
【課題を解決するための手段】
【０００４】
【課題を解決するための手段】  本発明は、予熱周波数ＦＰＲＥと予熱トランス一次側共振周波数ＦＰと予熱トランス二次側共振周波数ＦＳの関係をＦＰＲＥ＜ＦＰ＜ＦＳとすることにより、ＦＰＲＥとＦＳを離すことができるので、フィラメントの抵抗変化の影響を受けにくくなり、予熱電流Ｉｆの変化を抑えることができる。
【発明の効果】
【０００５】  本発明は、予熱周波数ＦＰＲＥと予熱トランス一次側共振周波数ＦＰと予熱トランス二次側共振周波数ＦＳの関係をＦＰＲＥ＜ＦＰ＜ＦＳとすることにより、予熱周波数ＦＰＲＥと予熱トランス二次側共振周波数ＦＳを離すことができる。これによれば、予熱電流Ｉｆの変化を小さくできるので予熱条件が計算し易くなり、また、予熱実効値電流の測定精度を高めることができるため、最適な予熱条件が得られ易くなる。
【発明を実施するための最良の形態】
【０００６】  図１を用いて本発明の実施形態について説明する。図１は周波数Ｆと予熱電流Ｉｆの関係を示しており、波形Ａは予熱トランス一次側共振波形、波形Ｂは予熱トランス二次側共振波形を示す。
この関係において、予熱中にフィラメントの抵抗が増えると、予熱トランス二次側共振周波数ＦＳが影響を受け共振条件が波形Ｂから波形Ｂ’に移動して行くと予熱電流Ｉｆは減少する。
図２は図１に対応する従来例である。図２に示すように予熱周波数ＦＰＲＥと予熱トランス一次側共振周波数ＦＰと予熱トランス二次側共振周波数ＦＳの関係がＦＰＲＥ＜ＦＳ＜ＦＰとなり、予熱周波数ＦＰＲＥと予熱トランス二次側共振周波数ＦＳが近い場合は、予熱電流Ｉｆの変化が大きくなる。
これに対して、図１に示すように予熱周波数ＦＰＲＥと予熱トランス一次側共振周波数ＦＰと予熱トランス二次側共振周波数ＦＳの関係をＦＰＲＥ＜ＦＰ＜ＦＳにすると、予熱周波数ＦＰＲＥと予熱トランス二次側共振周波数ＦＳが離れ、予熱電流Ｉｆの変化を小さくすることができる。
【図面の簡単な説明】
【０００７】
【図１】  （Ａ）本発明に係る周波数Ｆと予熱電流Ｉｆの関係を示す図である。  （Ｂ）本発明に係る時間Ｔと予熱電流Ｉｆの関係を示す図である。
【図２】  （Ａ）従来の周波数Ｆと予熱電流Ｉｆの関係を示す図である。  （Ｂ）従来の時間Ｔと予熱電流Ｉｆの関係を示す図である。
【符号の説明】
Ａ：予熱トランス一次側共振波形
Ｂ：予熱トランス二次側共振波形
Ｂ’：予熱中に変化した予熱トランス二次側共振波形
Ｉｆ：予熱電流
ＦＰＲＥ：予熱周波数
ＦＰ：予熱トランス一次側共振周波数
ＦＳ：予熱トランス二次側共振周波数